(57)【要約】【課題】正確かつ安価に資産の貸し出し等の管理を行うことができる資産管理システムを提供する。【解決手段】通信端末１０が、資産４０に貼付されている２次元コードを読み取って、デコードした情報等を近距離通信部２０に近距離無線通信で送信する。近距離通信部２０は、通信端末１０から受信した情報を資産管理サーバ３０に送信する。資産管理サーバ３０は、近距離通信部２０を介して通信端末１０から受信した情報にもとづいて、資産４０を貸し出しすること等をデータベースに登録する。資産管理サーバ３０は、貸し出し処理等が完了したことを示す情報を通信ネットワーク１００を介して通信端末１０に送信する。【選択図】図１
2007249276.tif 000002
【特許請求の範囲】
【請求項１】
資産を管理する資産管理サーバを備えた資産管理システムにおいて、
添付されている資産を示す資産特定情報を格納している情報記憶手段から、資産特定情報を読み取る情報読み取り手段と、前記情報読み取り手段が読み取った資産特定情報を近距離無線通信で送信する近距離無線通信手段と、前記資産管理サーバと情報を送受信する情報送受信手段とを含む携帯端末と、
前記携帯端末の前記近距離無線通信手段が送信した資産特定情報を受信して、受信した前記資産特定情報を前記資産管理サーバに送信する情報中継手段を含む近距離無線通信装置とを備え、
前記資産管理サーバは、
管理している資産の情報を記憶しているデータベースと、前記近距離無線通信装置から受信した資産特定情報にもとづいて、前記データベースが記憶している情報を更新する情報更新手段とを含む
ことを特徴とする資産管理システム。
【請求項２】
携帯端末の情報送受信手段は、データベースが記憶している資産の情報を資産管理サーバから受信し、
前記携帯端末の近距離無線通信手段は、前記情報送受信手段が受信した資産の情報にもとづいて、資産特定情報を近距離無線通信で近距離無線通信装置に送信する
請求項１記載の資産管理システム。
【請求項３】
携帯端末の近距離無線通信手段は、資産の予約を示す情報と、資産特定情報とを近距離無線通信で近距離無線通信装置に送信し、
資産管理サーバの情報更新手段は、受信した資産の予約を示す情報と資産特定情報とにもとづいて、データベースが記憶している情報を更新する
請求項１または請求項２記載の資産管理システム。
【請求項４】
携帯端末の近距離無線通信手段は、資産の貸し出しを示す情報と、資産特定情報とを近距離無線通信で近距離無線通信装置に送信し、
資産管理サーバの情報更新手段は、受信した資産の貸し出しを示す情報と資産特定情報とにもとづいて、データベースが記憶している情報を更新する
請求項１から請求項３のうちいずれか１項記載の資産管理システム。
【請求項５】
携帯端末の近距離無線通信手段は、資産の返却を示す情報と、資産特定情報とを近距離無線通信で近距離無線通信装置に送信し、
資産管理サーバの情報更新手段は、受信した資産の返却を示す情報と資産特定情報とにもとづいて、データベースが記憶している情報を更新する
請求項１から請求項４のうちいずれか１項記載の資産管理システム。
【請求項６】
携帯端末の近距離無線通信手段は、資産の貸し出し期間の変更を示す情報と、資産特定情報とを近距離無線通信で近距離無線通信装置に送信し、
資産管理サーバの情報更新手段は、受信した資産の貸し出し期間の変更を示す情報と資産特定情報とにもとづいて、データベースが記憶している情報を更新する
請求項１から請求項５のうちいずれか１項記載の資産管理システム。
【請求項７】
資産管理サーバは、データベースが記憶している資産の情報のうち、資産調査対象の資産の情報を携帯端末に送信する調査対象情報送信手段と、
前記携帯端末から受信した資産特定情報が示す資産と、前記資産調査対象の資産とが合致するか否かを判断する判断手段とを含み、
調査対象情報送信手段は、前記判断手段が、前記携帯端末から受信した資産特定情報が示す資産と、前記資産調査対象の資産とが合致しないと判断した場合に、合致しない資産を示す情報を携帯端末に送信する
請求項１から請求項６のうちいずれか１項記載の資産管理システム。
【請求項８】
資産を管理する資産管理サーバにおいて、
管理している資産の情報を記憶しているデータベースと、添付されている資産を示す資産特定情報を格納している情報記憶手段から携帯端末が読み取った資産特定情報にもとづいて、前記データベースが記憶している情報を更新する情報更新手段と、
前記データベースが記憶している資産の情報のうち、資産調査対象の資産の情報を前記携帯端末に送信する調査対象情報送信手段と、
前記携帯端末から受信した資産特定情報が示す資産と、前記資産調査対象の資産とが合致するか否かを判断する判断手段とを含み、
前記調査対象情報送信手段は、前記判断手段が、前記携帯端末から受信した資産特定情報が示す資産と、前記資産調査対象の資産とが合致しないと判断した場合に、合致しない資産を示す情報を携帯端末に送信する
ことを特徴とする資産管理サーバ。
【請求項９】
資産をデータベースを用いて管理する資産管理サーバと、情報を送受信する携帯端末とを用いた資産管理方法において、
添付されている資産を示す資産特定情報を格納している情報記憶手段から、前記携帯端末が資産特定情報を読み取る情報読み取りステップと、
前記情報読み取り手段が読み取った資産特定情報を、前記携帯端末が近距離無線通信で送信する近距離無線通信ステップと、
近距離無線通信装置が、前記近距離無線通信ステップで前記携帯端末が送信した資産特定情報を受信して、受信した前記資産特定情報を前記資産管理サーバに送信する情報中継ステップと、
前記近距離無線通信装置から受信した資産特定情報にもとづいて、前記資産管理サーバが、前記データベースが記憶している情報を更新する情報更新ステップとを備えた
ことを特徴とする資産管理方法。
【請求項１０】
資産を管理する資産管理サーバに搭載される資産管理プログラムであって、
コンピュータに、
添付されている資産を示す資産特定情報を格納している情報記憶手段から、携帯端末が読み取った資産特定情報にもとづいて、前記資産管理サーバが管理している資産の情報を記憶するデータベースが記憶している情報を更新する情報更新処理と、
前記データベースが記憶している資産の情報のうち、資産調査対象の資産の情報を前記携帯端末に送信する調査対象情報送信処理と、
前記携帯端末から受信した資産特定情報が示す資産と、前記資産調査対象の資産とが合致するか否かを判断する判断処理とを実行させ、
前記調査対象情報送信処理において、前記判断処理で、前記携帯端末から受信した資産特定情報が示す資産と、前記資産調査対象の資産とが合致しないと判断した場合に、合致しない資産を示す情報を携帯端末に送信させる
ための資産管理プログラム。
【発明の詳細な説明】
【技術分野】
【０００１】
本発明は、企業等の資産の管理を行う資産管理システム、資産管理サーバ、資産管理方法および資産管理プログラムに関する。
【背景技術】
【０００２】
従来、企業等におけるパーソナルコンピュータ等の資産の管理は、管理台帳を用いて人手で行われていた。
【０００３】
そのため、管理台帳と資産の在庫位置との対応がなされていない場合があり、資産管理調査（棚卸し）の際には、管理台帳と在庫の資産との照合に手間がかかるという問題があった。
【０００４】
コンピュータと管理台帳とで資産の管理を行う方法もあるが、コンピュータに資産の貸し出し処理を入力するタイミングと、管理台帳に資産の貸し出しを記載するタイミングとを完全に一致させることは困難である。そのため、管理台帳上では既に貸し出されたことになっていて、実際に既に貸し出されている資産を、コンピュータが重複して貸し出し処理を行ってしまう可能性があるという問題がある。
【０００５】
特許文献１には、貸し出す資産に貼付されているバーコードを読み取った専用のハンディターミナルが、資産管理を行う装置に、読み取った情報を送信するシステムが記載されている。
【０００６】
【特許文献１】特開２００３−９９６６２号公報  （段落００１６〜００３７、図１）
【発明の開示】
【発明が解決しようとする課題】
【０００７】
しかし、特許文献１に記載されているシステムでは、バーコードを読み取るために専用のハンディターミナルが必要である。従って、システムが高価になるという課題がある。資産の貸し出し管理に要する費用は、安価であることが好ましい。
【０００８】
そこで、本発明は、正確かつ安価に資産の貸し出し等の管理を行うことができる資産管理システム、資産管理サーバ、資産管理方法および資産管理プログラムを提供することを目的とする。
【課題を解決するための手段】
【０００９】
本発明による資産管理システムは、資産を管理する資産管理サーバを備えた資産管理システムであって、添付されている資産を示す資産特定情報を格納している情報記憶手段から、資産特定情報を読み取る情報読み取り手段と、情報読み取り手段が読み取った資産特定情報を近距離無線通信で送信する近距離無線通信手段と、資産管理サーバと情報を送受信する情報送受信手段とを含む携帯端末と、携帯端末の近距離無線通信手段が送信した資産特定情報を受信して、受信した資産特定情報を資産管理サーバに送信する情報中継手段を含む近距離無線通信装置とを備え、資産管理サーバは、管理している資産の情報を記憶しているデータベースと、近距離無線通信装置から受信した資産特定情報にもとづいて、データベースが記憶している情報を更新する情報更新手段とを含むことを特徴とする。
【００１０】
携帯端末の情報送受信手段は、データベースが記憶している資産の情報を資産管理サーバから受信し、携帯端末の近距離無線通信手段は、情報送受信手段が受信した資産の情報にもとづいて、資産特定情報を近距離無線通信で近距離無線通信装置に送信してもよい。
【００１１】
携帯端末の近距離無線通信手段は、資産の予約を示す情報と、資産特定情報とを近距離無線通信で近距離無線通信装置に送信し、資産管理サーバの情報更新手段は、受信した資産の予約を示す情報と資産特定情報とにもとづいて、データベースが記憶している情報を更新してもよい。
【００１２】
携帯端末の近距離無線通信手段は、資産の貸し出しを示す情報と、資産特定情報とを近距離無線通信で近距離無線通信装置に送信し、資産管理サーバの情報更新手段は、受信した資産の貸し出しを示す情報と資産特定情報とにもとづいて、データベースが記憶している情報を更新してもよい。
【００１３】
携帯端末の近距離無線通信手段は、資産の返却を示す情報と、資産特定情報とを近距離無線通信で近距離無線通信装置に送信し、資産管理サーバの情報更新手段は、受信した資産の返却を示す情報と資産特定情報とにもとづいて、データベースが記憶している情報を更新してもよい。
【００１４】
携帯端末の近距離無線通信手段は、資産の貸し出し期間の変更を示す情報と、資産特定情報とを近距離無線通信で近距離無線通信装置に送信し、資産管理サーバの情報更新手段は、受信した資産の貸し出し期間の変更を示す情報と資産特定情報とにもとづいて、データベースが記憶している情報を更新してもよい。
【００１５】
資産管理サーバは、データベースが記憶している資産の情報のうち、資産調査対象の資産の情報を携帯端末に送信する調査対象情報送信手段と、携帯端末から受信した資産特定情報が示す資産と、資産調査対象の資産とが合致するか否かを判断する判断手段とを含み、調査対象情報送信手段は、判断手段が、携帯端末から受信した資産特定情報が示す資産と、資産調査対象の資産とが合致しないと判断した場合に、合致しない資産を示す情報を携帯端末に送信してもよい。
【００１６】
本発明による資産管理サーバは、資産を管理する資産管理サーバであって、管理している資産の情報を記憶しているデータベースと、添付されている資産を示す資産特定情報を格納している情報記憶手段から携帯端末が読み取った資産特定情報にもとづいて、データベースが記憶している情報を更新する情報更新手段と、データベースが記憶している資産の情報のうち、資産調査対象の資産の情報を携帯端末に送信する調査対象情報送信手段と、携帯端末から受信した資産特定情報が示す資産と、資産調査対象の資産とが合致するか否かを判断する判断手段とを含み、調査対象情報送信手段は、判断手段が、携帯端末から受信した資産特定情報が示す資産と、資産調査対象の資産とが合致しないと判断した場合に、合致しない資産を示す情報を携帯端末に送信することを特徴とする。
【００１７】
本発明による資産管理方法は、資産をデータベースを用いて管理する資産管理サーバと、情報を送受信する携帯端末とを用いた資産管理方法であって、添付されている資産を示す資産特定情報を格納している情報記憶手段から、携帯端末が資産特定情報を読み取る情報読み取りステップと、情報読み取り手段が読み取った資産特定情報を、携帯端末が近距離無線通信で送信する近距離無線通信ステップと、近距離無線通信装置が、近距離無線通信ステップで携帯端末が送信した資産特定情報を受信して、受信した資産特定情報を資産管理サーバに送信する情報中継ステップと、近距離無線通信装置から受信した資産特定情報にもとづいて、資産管理サーバが、データベースが記憶している情報を更新する情報更新ステップとを備えたことを特徴とする。
【００１８】
本発明による資産管理プログラムは、資産を管理する資産管理サーバに搭載される資産管理プログラムであって、コンピュータに、添付されている資産を示す資産特定情報を格納している情報記憶手段から、携帯端末が読み取った資産特定情報にもとづいて、資産管理サーバが管理している資産の情報を記憶するデータベースが記憶している情報を更新する情報更新処理と、データベースが記憶している資産の情報のうち、資産調査対象の資産の情報を携帯端末に送信する調査対象情報送信処理と、携帯端末から受信した資産特定情報が示す資産と、資産調査対象の資産とが合致するか否かを判断する判断処理とを実行させ、調査対象情報送信処理において、判断処理で、携帯端末から受信した資産特定情報が示す資産と、資産調査対象の資産とが合致しないと判断した場合に、合致しない資産を示す情報を携帯端末に送信させることを特徴とする。
【発明の効果】
【００１９】
本発明によれば、資産に添付されている情報記憶手段から携帯端末が読み取った資産特定情報にもとづいて、資産管理サーバが資産の管理を行うので、資産の管理を迅速、正確かつ容易に行うことができる。
【００２０】
また、携帯端末が、近距離無線通信を用いて近距離無線通信装置を介して資産特定情報を資産管理サーバに送信するので、資産特定情報を送信するための通信料を支払う必要がない。そのため、資産の管理を安価に行うことができる。
【００２１】
携帯端末の近距離無線通信手段が、資産管理サーバから受信した資産の情報にもとづいて、資産特定情報を近距離無線通信で近距離無線通信装置に送信するように構成されている場合には、資産に添付されている情報記憶手段が汚損等していて情報読み取り手段が資産特定情報を読み取ることができない場合でも、資産の管理を行うことができる。
【００２２】
携帯端末の近距離無線通信手段が、資産の予約を示す情報、資産の貸し出しを示す情報、資産の返却を示す情報、または資産の貸し出し期間の変更を示す情報と、資産特定情報とを近距離無線通信で近距離無線通信装置に送信し、資産管理サーバの情報更新手段が、受信した情報と資産特定情報とにもとづいて、データベースが記憶している情報を更新するように構成されている場合には、資産の予約、貸し出し、返却、および貸し出し期間の変更を正確に行うことができる。
【００２３】
資産管理サーバが、携帯端末から受信した資産特定情報が示す資産と、資産調査対象の資産とが合致するか否かを判断する判断手段とを含み、調査対象情報送信手段が、資産特定情報が示す資産と、資産調査対象の資産とを比較し、合致しない資産を示す情報を携帯端末に送信するように構成されている場合には、棚卸し等の資産調査を正確に行うことができる。
【発明を実施するための最良の形態】
【００２４】
本発明の資産管理システムの実施の形態について、図面を参照して説明する。図１は、本発明による資産管理システムの実施の形態の一構成例を示すブロック図である。
【００２５】
図１に示す資産管理システムは、通信端末（携帯端末）１０から近距離無線通信で情報を受信する近距離通信部（近距離無線通信装置）２０と、近距離通信部２０および通信ネットワーク１００を介して通信端末１０と情報を送受信し、資産４０の管理を行う資産管理サーバ３０と、通信ネットワーク１００を介して電子メールの送受信を行う電子メールサーバ５０とを含む。
【００２６】
通信端末１０は、近距離通信部２０に赤外線通信等の近距離無線通信で情報を送信する手段（近距離無線通信手段）と、資産４０に貼付（添付）されているＱＲコード（登録商標）等の２次元コード（情報記憶手段）にエンコードされている資産４０を示す情報を読み取る手段（情報読み取り手段）と、通信ネットワーク１００を介して電子メールや情報を送受信する手段（情報送受信手段）とを有するカメラ付き携帯電話機や、カメラ付きＰＨＳ（Ｐｅｒｓｏｎａｌ  Ｈａｎｄｙ  ｐｈｏｎｅ  Ｓｙｓｔｅｍ）端末である。
【００２７】
近距離通信部２０は、通信端末１０から赤外線通信等の近距離無線通信で情報を受信する手段と、通信端末１０から受信した情報を資産管理サーバ３０に送信する手段とを有し、資産４０が保管されている場所の近傍に設置されている。通信ネットワーク１００は、例えば、インターネットである。
【００２８】
なお、情報中継手段は、近距離通信部２０が有する近距離無線通信で情報を受信する手段と、通信端末１０から受信した情報を資産管理サーバ３０に送信する手段とによって実現される。
【００２９】
資産管理サーバ３０は、データベース（図示せず）を含み、データベースは、資産名、その資産の管理部門、その資産の管理者、その資産が固定資産であるのかまたはリース資産であるのかの区分、資産番号、およびその資産の貸し出しの予約の状況等を示すデータを記憶している。
【００３０】
なお、資産の貸し出しの予約の状況とは、誰にいつからいつまでその資産を貸し出すのかの予定を示す情報である。
【００３１】
情報更新手段および判断手段は、資産管理サーバ３０に搭載され、プログラム制御にしたがって処理を実行するＣＰＵによって実現される。調査対象情報送信手段は、資産管理サーバ３０に搭載され、プログラム制御にしたがって処理を実行するＣＰＵおよびＣＰＵの制御にしたがって動作する通信モジュールによって実現される。
【００３２】
電子メールサーバ５０は、資産の貸し出し期間が経過しても資産の返却処理がなされていない場合に、通信ネットワーク１００を介して通信端末１０に、資産の返却を督促する電子メールを送信する。
【００３３】
なお、資産管理サーバ３０は、コンピュータに、添付されている資産を示す資産特定情報を格納している２次元コードから、通信端末１０が読み取った資産特定情報にもとづいて、資産管理サーバ３０が管理している資産の情報を記憶しているデータベースが記憶している情報を更新する情報更新処理と、データベースが記憶している資産の情報のうち、資産調査対象の資産の情報を通信端末１０に送信する調査対象情報送信処理と、通信端末１０から受信した資産特定情報が示す資産と、資産調査対象の資産とが合致するか否かを判断する判断処理とを実行させ、調査対象情報送信処理において、判断処理で、通信端末１０から受信した資産特定情報が示す資産と、資産調査対象の資産とが合致しないと判断した場合に、合致しない資産を示す情報を通信端末１０に送信させることを特徴とする資産管理プログラムを搭載している。
【００３４】
次に、本発明の実施の形態の動作について、図面を参照して説明する。図２は、資産管理システムの動作を説明するシーケンス図である。
【００３５】
資産４０の貸し出しの予約の際に、通信端末１０は、ユーザの操作に従って資産４０に貼付されている２次元コードを読み取り、読み取った２次元コードをデコードし、デコードした情報を近距離通信部２０を介して資産管理サーバ３０に送信する（ステップＳ１０１ａ）。
【００３６】
また、通信端末１０は、ユーザの操作に従って通信ネットワーク１００を介して資産管理サーバ３０に接続し、資産管理サーバ３０のデータベースを用いて資産４０を検索して抽出し、抽出した資産４０を示す情報を近距離通信部２０を介して資産管理サーバ３０に送信してもよい（ステップＳ１０１ｂ）。
【００３７】
資産管理サーバ３０は、近距離通信部２０を介して通信端末１０から情報を受信した場合に、受信した情報にもとづいて、資産４０の情報をデータベースから抽出する。そして、資産管理サーバ３０は、抽出した資産４０の情報を、通信ネットワーク１００を介して通信端末１０に送信する（ステップＳ１０２）。
【００３８】
なお、資産管理サーバ３０がデータベースから抽出した資産４０の情報とは、例えば、資産４０の資産名、資産４０の管理部門、資産４０の管理者、資産４０が固定資産であるのかまたはリース資産であるのかの区分、資産４０の資産番号、および資産４０の貸し出しの予約の状況等である。資産管理サーバ３０のデータベースは、これらの情報を示すデータベースを記憶している。資産４０の貸し出しの予約の状況とは、誰にいつからいつまで資産４０を貸し出すのかの予定を示す情報である。
【００３９】
通信端末１０は、通信ネットワーク１００を介して資産管理サーバ３０から受信した資産４０の情報を表示手段（図示せず）に表示させる。通信端末１０は、ユーザに入力された資産４０の貸し出し期間を示す情報と、ユーザを示す情報とを、近距離通信部２０を介して資産管理サーバ３０に送信する（ステップＳ１０３）。
【００４０】
資産管理サーバ３０は、近距離通信部２０を介して通信端末１０から受信した情報をデータベースに登録し、予約が完了したことを示す予約完了情報を通信ネットワーク１００を介して通信端末１０に送信する（ステップＳ１０４）。
【００４１】
通信端末１０は、通信ネットワーク１００を介して資産管理サーバ３０から受信した予約完了情報を表示手段に表示させる。なお、予約完了情報は、資産４０を示す情報と、貸し出し期間を示す情報とを含む。そして、通信端末１０は、通信ネットワーク１００を介して資産管理サーバ３０から受信した予約完了情報を記憶手段に記憶させる。以上の動作で資産４０の貸し出しの予約処理が完了する。
【００４２】
資産４０の貸し出しの際に、通信端末１０は、ユーザの操作に従って資産４０に貼付されている２次元コードを読み取った場合に、読み取った２次元コードをデコードし、デコードした情報と、記憶手段が記憶している予約完了情報とを照合して、予約内容の照合を行い、資産４０の貸し出しが可能か否かを判断する（ステップＳ１０５）。
【００４３】
具体的には、通信端末１０は、記憶手段が記憶している予約完了情報が含む資産４０を示す情報と、デコードした情報とが合致するか否かの照合、および記憶手段が記憶している予約完了情報が含む貸し出し期間を示す情報と、現在の日時とにもとづいて、現在の日時が貸し出し期間であるか否かの照合を行う。
【００４４】
そして、通信端末１０は、記憶手段が記憶している予約完了情報が含む資産４０を示す情報と、デコードした情報とが合致し、記憶手段が記憶している予約完了情報が含む貸し出し期間が、現在の日時を含んでいる場合に、資産４０の貸し出しが可能であると判断する。
【００４５】
通信端末１０は、資産４０の貸し出しが可能であると判断した場合に、資産４０に貼付されている２次元コードをデコードした情報を、近距離通信部２０を介して資産管理サーバ３０に送信する（ステップＳ１０６）。
【００４６】
資産管理サーバ３０は、近距離通信部２０を介して通信端末１０から受信した情報と、データベースに登録されている情報とにもとづいて、資産４０の貸し出しが可能か否かを判断する（ステップＳ１０７）。資産管理サーバ３０は、資産４０の貸し出しが可能であると判断した場合に、貸し出し可能であることを示す貸し出し可能情報を通信ネットワーク１００を介して通信端末１０に送信する（ステップＳ１０８）。
【００４７】
通信端末１０は、通信ネットワーク１００を介して資産管理サーバ３０から貸し出し可能情報を受信した場合に、貸し出し可能情報を表示手段に表示させる。通信端末１０は、ユーザの操作に従って、貸し出し処理の実行を示す情報を近距離通信部２０を介して資産管理サーバ３０に送信する（ステップＳ１０９）。
【００４８】
資産管理サーバ３０は、近距離通信部２０を介して通信端末１０から貸し出し処理の実行を示す情報を受信した場合に、資産４０を貸し出したことをデータベースに登録する貸し出し処理を実行する。資産管理サーバ３０は、貸し出し処理が完了したことを示す貸し出し完了情報を通信ネットワーク１００を介して通信端末１０に送信する（ステップＳ１１０）。
【００４９】
通信端末１０は、通信ネットワーク１００を介して資産管理サーバ３０から受信した貸し出し完了情報を表示手段に表示させる。なお、貸し出し完了情報は、資産４０を示す情報と、貸し出し期間を示す情報とを含む。そして、通信端末１０は、通信ネットワーク１００を介して資産管理サーバ３０から受信した貸し出し完了情報を記憶手段に記憶させる。以上の動作で資産４０の貸し出しの処理が完了する。
【００５０】
資産４０の返却の際に、通信端末１０は、ユーザの操作に従って資産４０に貼付されている２次元コードを読み取った場合に、読み取った２次元コードをデコードし、デコードした情報と、記憶手段が記憶している貸し出し完了情報とを照合して、貸し出し内容の照合を行い、２次元コードが貼付されている資産が貸し出し中であるのか否かを判断する（ステップＳ１１１）。
【００５１】
具体的には、通信端末１０は、記憶手段が記憶している貸し出し完了情報が含む資産４０を示す情報と、デコードした情報とが合致するか否かの照合、および記憶手段が記憶している貸し出し完了情報が含む貸し出し期間を示す情報と、現在の日時とにもとづいて、現在の日時が貸し出し期間であるか否かの照合を行う。
【００５２】
そして、通信端末１０は、記憶手段が記憶している貸し出し完了情報が含む資産４０を示す情報と、デコードした情報とが合致し、記憶手段が記憶している貸し出し完了情報が含む貸し出し期間が現在の日時を含んでいる場合に、資産が貸し出し中であると判断する。
【００５３】
通信端末１０は、資産４０が貸し出し中であると判断した場合に、資産４０に貼付されている２次元コードをデコードした情報と返却を行うことを示す情報とを、近距離通信部２０を介して資産管理サーバ３０に送信する（ステップＳ１１２）。
【００５４】
資産管理サーバ３０は、近距離通信部２０を介して通信端末１０から受信した情報と、データベースに登録されている情報とにもとづいて、資産４０が貸し出し中であるか否かを判断する。資産管理サーバ３０は、資産４０が貸し出し中であると判断した場合に、返却可能であることを示す返却可能情報を通信ネットワーク１００を介して通信端末１０に送信する（ステップＳ１１３）。
【００５５】
通信端末１０は、通信ネットワーク１００を介して資産管理サーバ３０から返却可能情報を受信した場合に、返却可能情報を表示手段に表示させる。通信端末１０は、ユーザの操作に従って返却処理の実行を示す情報を、近距離通信部２０を介して資産管理サーバ３０に送信する（ステップＳ１１４）。
【００５６】
資産管理サーバ３０は、近距離通信部２０を介して通信端末１０から返却処理の実行を示す情報を受信した場合に、資産４０が返却されたことをデータベースに登録する返却処理を実行する。資産管理サーバ３０は、返却処理が完了したことを示す返却完了情報を通信ネットワーク１００を介して通信端末１０に送信する（ステップＳ１１５）。以上の動作で資産４０の返却の処理が完了する。
【００５７】
次に、資産４０の貸し出し期間を変更する場合の動作について、図面を参照して説明する。図３は、資産４０の貸し出し期間を変更する場合の動作を説明するシーケンス図である。
【００５８】
通信端末１０は、ユーザの操作に従って資産４０に貼付されている２次元コードを読み取った場合に、読み取った２次元コードをデコードし、デコードした情報と、記憶手段が記憶している貸し出し完了情報とを照合して、貸し出し内容の照合を行い、２次元コードが貼付されている資産が貸し出し中であるのか否かを判断する。具体的には、通信端末１０は、記憶手段が記憶している貸し出し完了情報が含む資産４０を示す情報と、デコードした情報とが合致するか否かの照合、および記憶手段が記憶している貸し出し完了情報が含む貸し出し期間を示す情報と、現在の日時とにもとづいて、現在の日時が貸し出し期間であるか否かの照合を行う。
【００５９】
そして、通信端末１０は、記憶手段が記憶している貸し出し完了情報が含む資産４０を示す情報と、デコードした情報とが合致し、記憶手段が記憶している貸し出し完了情報が含む貸し出し期間が、現在の日時を含んでいる場合に、資産が貸し出し中であると判断する。通信端末１０は、資産４０が貸し出し中であると判断した場合に、資産４０に貼付されている２次元コードをデコードした情報と貸し出し期間の変更を行うことを示す情報とを、近距離通信部２０を介して資産管理サーバ３０に送信する（ステップＳ２０１）。
【００６０】
資産管理サーバ３０は、資産４０に貼付されている２次元コードをデコードした情報と貸し出し期間の変更を行うことを示す情報とを受信した場合に、資産４０の情報をデータベースから抽出する。そして、資産管理サーバ３０は、抽出した資産４０の情報を、通信ネットワーク１００を介して通信端末１０に送信する（ステップＳ２０２）。
【００６１】
通信端末１０は、通信ネットワーク１００を介して資産管理サーバ３０から受信した資産４０の情報を表示手段に表示させる。通信端末１０は、資産４０を誰にいつからいつまで貸し出すのかを示す情報にもとづいて、貸し出し期間が重複しないようにユーザに入力された変更後の資産４０の貸し出し期間を示す情報と、ユーザを示す情報とを、近距離通信部２０を介して資産管理サーバ３０に送信する（ステップＳ２０３）。
【００６２】
資産管理サーバ３０は、近距離通信部２０を介して通信端末１０から受信した情報をデータベースに登録し、貸し出し期間の変更が完了したことを示す変更完了情報を通信ネットワーク１００を介して通信端末１０に送信する（ステップＳ２０４）。
【００６３】
通信端末１０は、通信ネットワーク１００を介して資産管理サーバ３０から受信した変更完了情報を表示手段に表示させる。なお、変更完了情報は、資産４０を示す情報と、貸し出し期間を示す情報とを含み、通信端末１０は、通信ネットワーク１００を介して資産管理サーバ３０から受信した変更完了情報を記憶手段に記憶させる。以上の動作で貸し出し期間の変更の処理が完了する。
【００６４】
次に、資産管理調査（棚卸し）を行う場合の動作について、図面を参照して説明する。図４は、資産管理調査を行う場合の動作を説明するシーケンス図である。
【００６５】
通信端末１０は、ユーザの操作に従って、近距離通信部２０を介して資産管理サーバ３０に、資産管理調査を行う資産の情報の送信を要求する（ステップＳ３０１）。
【００６６】
資産管理サーバ３０は、データベースを検索して抽出した資産管理調査を行う資産の情報を通信ネットワーク１００を介して通信端末１０に送信する（ステップＳ３０２）。
【００６７】
通信端末１０は、ユーザの操作に従って、資産に貼付されている２次元コードを読み取り、読み取った２次元コードをデコードし、デコードした情報を、近距離通信部２０を介して資産管理サーバ３０に送信する（ステップＳ３０３）。なお、通信端末１０は、資産に貼付されている２次元コードをデコードした情報を複数記憶手段に記憶させ、記憶手段が記憶している複数の情報を、まとめて近距離通信部２０を介して資産管理サーバ３０に送信してもよい。
【００６８】
資産管理サーバ３０は、受信した情報と、資産管理調査を行う資産の情報とを照合し、調査漏れがあるか否かを判断する。資産管理サーバ３０は、調査漏れがあると判断した場合に、調査漏れの資産を示す情報を、通信ネットワーク１００を介して通信端末１０に送信する。また、資産管理サーバ３０は、調査漏れがないと判断した場合に、資産管理調査が終了したことを示す調査終了情報を、通信ネットワーク１００を介して通信端末１０に送信する（ステップＳ３０４）。
【００６９】
通信端末１０は、調査漏れの資産を示す情報を受信した場合に、その情報を表示手段に表示させる。そして、通信端末１０は、ユーザの操作に従って、資産に貼付されている２次元コードを読み取り、読み取った２次元コードをデコードし、デコードした情報を、近距離通信部２０を介して資産管理サーバ３０に送信する。通信端末１０は、ユーザの操作に従って、調査終了情報を受信するまで、資産に貼付されている２次元コードをデコードした情報の送信を繰り返す。
【００７０】
通信端末１０は、調査終了情報を受信した場合に、資産管理調査を終了する。
【００７１】
本実施の形態によれば、通信端末１０が資産４０に貼付されている２次元コードから読み取った情報にもとづいて、資産管理サーバ３０が資産の管理を行うので、資産の管理を迅速、正確かつ容易に行うことができる。
【００７２】
また、通信端末１０は、近距離無線通信を用いて近距離通信部２０を介して情報を資産管理サーバ３０に送信するので、情報を送信するための通信料を支払う必要がない。そのため、資産の管理を安価に行うことができる。
【００７３】
さらに、構成員それぞれに、携帯電話機を持たせる企業等が増えている。その携帯電話機を用いることによって、少ない追加投資で本発明による資産管理システムを構築できる。
【産業上の利用可能性】
【００７４】
本発明は、企業等の資産を管理する資産管理システムに適用することができる。
【図面の簡単な説明】
【００７５】
【図１】本発明による資産管理システムの実施の形態の一構成例を示すブロック図である。
【図２】資産管理システムの動作を説明するシーケンス図である。
【図３】資産の貸し出し期間を変更する場合の動作を説明するシーケンス図である。
【図４】資産管理調査を行う場合の動作を説明するシーケンス図である。
【符号の説明】
【００７６】
１０  通信端末
２０  近距離通信部
３０  資産管理サーバ
４０  資産
５０  電子メールサーバ
１００  通信ネットワーク
【図１】
2007249276.tif 000003
【図２】
2007249276.tif 000004
【図３】
2007249276.tif 000005
【図４】
2007249276.tif 000006